(57)【要約】ウェブブラウザは、お気に入り又は履歴のＵＲＬに関連付けてフォーマット嗜好を格納するよう構成され、それにより、そのＵＲＬへの要求を受信すると、ウェブページがフェッチされ、関連付けられる格納されたフォーマット嗜好と共に表示される。本発明は、ユーザが様々なウェブサイトに対し様々な好適なフォーマットを有し得るテレビジョン画面、携帯電話機、及び携帯情報端末といった最高条件の解像度ではないディスプレイにおいて特に有用である。
2005522783.tif 000002
【特許請求の範囲】
【請求項１】
ブラウザを用いて電子情報を通信する方法であって、
ａ．前記ブラウザをディスプレイ装置において起動させる段階と、
ｂ．前記ブラウザにおいてＵＲＬを指定することによってウェブページにアクセスする段階と、
ｃ．前記ＵＲＬに対する保存された嗜好設定を、メモリから取出しする段階と、
ｄ．前記取出しされた嗜好設定を、前記ウェブページに適用する段階と、
ｅ．前記ウェブページを前記ブラウザ上で表示する段階と、
を含む方法。
【請求項２】
前記保存された嗜好設定は、テキスト及び／又はグラフィックス設定である請求項１記載の方法。
【請求項３】
前記ウェブページは、テレビジョン画面、携帯電話機、及び携帯情報端末から選択されるコンピュータモニタ以外のディスプレイ上に表示される請求項１記載の方法。
【請求項４】
前記ＵＲＬは、前記ウェブブラウザにおけるアドレスボックスフィールド内に前記ＵＲＬを入力することによって、ハイパーリンク上をクリックすることによって、又は、格納されたリストからお気に入り又はブックマークを選択することによって、前記ブラウザにおいて指定される請求項１記載の方法。
【請求項５】
ウェブページに対しユーザが好むフォーマットを用いて前記ウェブページを表示する方法であって、
ａ．表示されるウェブページに対するフォーマットセレクションを受信すると、前記フォーマットセレクションを前記表示されるウェブページに対するＵＲＬに関連付けて格納する段階と、
ｂ．同じＵＲＬへの次の要求を受信すると、前記ＵＲＬに対する前に選択されたフォーマットを取出しする段階と、
ｃ．前記前に選択されたフォーマットを用いて前記ウェブページを表示する段階と、
を含む方法。
【請求項６】
前記フォーマットは、テキスト及びグラフィックスのサイジングである請求項５記載の方法。
【請求項７】
前記ウェブページは、テレビジョン画面、携帯電話機、及び携帯情報端末から選択されるコンピュータモニタ以外のディスプレイ上に表示される請求項６記載の方法。
【請求項８】
前記同じＵＲＬへの前記要求は、ユーザが異なるウェブページにおけるハイパーリンク上をクリックすることによって、ユーザがウェブブラウザにおけるアドレスボックス内に前記ＵＲＬを入力することによって、又は、ユーザが格納されたリストからお気に入り又はブックマークを選択することによって得られる請求項５記載の方法。
【請求項９】
前に選択されたフォーマットは、履歴レジストリにおける対応するＵＲＬ、及び／又は、お気に入りレジストリにおける対応するＵＲＬに関連付けられて格納される請求項５記載の方法。
【請求項１０】
前に選択されたフォーマットは、履歴レジストリにおける対応するＵＲＬ、及び／又は、お気に入りレジストリにおける対応するＵＲＬに関連付けられて格納される請求項５記載の方法。
【請求項１１】
ウェブページに対する要求を処理するシステムであって、
ａ．ＵＲＬ要求を受信すると、ウェブページをフェッチする手段と、
ｂ．前記フェッチされたウェブページに対するフォーマット嗜好を受信する手段と、
ｃ．前記受信した前記フェッチされたウェブページに対するフォーマット嗜好を、前記対応するＵＲＬに関連付けて格納する手段と、
ｄ．同じＵＲＬへの次のオープン要求を受信すると、前記フォーマット嗜好を取出しし、前記フォーマット嗜好と共に前記対応するウェブページを供給する手段と、
を含むシステム。
【請求項１２】
前記フォーマット嗜好は、テキスト嗜好及び／又はグラフィックス嗜好である請求項７記載のシステム。
【請求項１３】
マイクロプロセッサ、アプリケーションプログラム、記憶装置、及びＩ／Ｏ部品を含む請求項７記載のシステム。
【請求項１４】
テレビジョン画面、携帯電話機ディスプレイ、及び携帯情報端末ディスプレイから選択されるディスプレイを含む請求項９記載のシステム。
【請求項１５】
ウェブブラウザをディスプレイに供給する手段と、
ユーザセレクションを受信する手段と、
対応するＵＲＬに関連付けられる格納されたユーザ嗜好に応じてウェブページをフォーマット化する手段を有する請求項７記載のシステム。
【請求項１６】
ウェブページに対しユーザが好むフォーマットを用いて前記ウェブページを表示するためにコンピュータ可読媒体上に具現化されるコンピュータプログラムであって、
ａ．表示されるウェブページに対するフォーマットセレクションを受信し、前記フォーマットセレクションを前記表示されるウェブページに対するＵＲＬに関連付けて格納するためのコードセグメントと、
ｂ．同じＵＲＬへの次の要求を受信し、前記ＵＲＬに対する前に選択されたフォーマットを取出しするためのコードセグメントと、
ｃ．前記前に選択されたフォーマットを用いて前記ウェブページを表示するためのコードセグメントと、
を含むプログラム。
【請求項１７】
前記フォーマットセレクションを受信するためのコードセグメントは、前記フォーマットセレクションを一次メモリ内に格納する請求項１５記載のコンピュータプログラム。
【請求項１８】
前記フォーマットセレクションを受信するためのコードセグメントは、前記フォーマットセレクションを二次メモリ内に格納する請求項１５記載のコンピュータプログラム。
【請求項１９】
前記フォーマットセレクションを受信するためのコードセグメントは、前記フォーマットセレクションを、履歴レジストリにおける対応するＵＲＬ、及び／又は、お気に入りレジストリにおける対応するＵＲＬに関連付けて格納する請求項１５記載のコンピュータプログラム。
【請求項２０】
前記同じＵＲＬへの次の要求を受信するコードセグメントは、前記次の要求を、ユーザが異なるウェブページにおけるハイパーリンク上をクリックすることによって、ウェブブラウザにおけるアドレスボックス内に前記ＵＲＬを入力することによって、又は、格納されたリストからお気に入り又はブックマークを選択することによって受信する請求項１５記載のコンピュータプログラム。
【請求項２１】
前記フォーマットセレクションのうちの１つは、テキストサイズである請求項１５記載のコンピュータプログラム。
【発明の詳細な説明】
【発明の詳細な説明】
【０００１】
［発明の属する技術分野］
本発明は、ウェブブラウザの分野に関わり、特に、例えば、テレビジョンディスプレイといったコンピュータモニタより低い解像度を有するディスプレイと共に用いるウェブブラウザに係る。
【０００２】
［背景技術］
放送信号を受信し、テレビ受像機用の表示信号を生成するシステムは、それが実際の受像機の上又はテレビジョン以外の任意の他の場所又はテレビ受像機自体の中に置かれていてもいなくても、セットトップボックスとして知られている。セットトップボックスは、デジタル衛星テレビジョン放送、ケーブルテレビジョン放送、コミュニティアンテナサービス、ダイアルアップ、ケーブル、或いはＤＳＬインターネットサービス、又はこれらの組合せのために現在利用可能である。
【０００３】
ウェブＴＶ（ＷｅｂＴＶ）の商標で以前販売され、現在、ＭＳＮ  ＴＶビューアとして販売されるセットトップボックスと、トムソン社によって製造され、ディレクＴＶ（ＤｉｒｅｃＴＶ）の商標で販売されるセットトップボックスは共に、インターネットを介してウェブページを受信し、そのウェブページをテレビジョン画面上に表示させるようにする表示信号を生成するウェブブラウザを有する。
【０００４】
従来のコンピュータモニタと共に使用する従来のウェブブラウザは、ユーザが、メモリ内にＵＲＬとして識別されるページを保存することを可能にする「お気に入り」、「お気に入りの場所」、及び「ブックマーク」機能を有し、更に、レジスタ内にＵＲＬの形で最近にアクセスした（「訪れた」）ウェブページを自動的に保存する「履歴」機能も有する。ユーザは、履歴機能にどれくらいのメモリを割当てたいのかに依存して、履歴機能を様々なレベルに設定することができる。従来のウェブブラウザは更に、「テキストサイズ」設定も有し、この設定では、ユーザは、例えば、最小、小、標準、中、大、最大のテキストサイズといった様々なテキストサイズのオプションから選択することができ、これらのオプションは、オリジナルのウェブページ設計に含まれるサイズと比較してウェブページにおけるテキストサイズを増加する又は減少するよう機能する。この例では、最小は、オリジナルサイズの５０％に対応し、小は、オリジナルサイズの７５％に対応し、標準は、オリジナルサイズの１００％に対応し、大は、オリジナルサイズの１２５％に対応し、最大は、オリジナルサイズの１５０％に対応し得る。ユーザがテキストサイズセレクションを変更した後、訪れる全てのウェブページは、そのページに対し設計されたサイズに比べて減少された又は増加されたテキストサイズで表示される。
【０００５】
テレビジョン画面上で視聴するためにセットトップボックスによって生成されるウェブブラウザでは、テキストサイズオプションとグラフィックサイズオプションは通常与えられ、従って、ユーザは、そのページにおけるオリジナルの設計に対して、グラフィックサイズを増加したり減少したりすることができる。カラーといった他のビューイングオプションも、一部のブラウザでは利用可能であり得る。
【０００６】
テレビジョン画面は、一般的に、コンピュータモニタより低い解像度を有するので、また、ユーザは、一般的に、テレビジョン画面からコンピュータモニタよりも離れているので、テレビジョン上に表示されるウェブブラウザを使用するユーザは、一部のページを読むことができるようにするために、テキストサイズ及び／又はグラフィックサイズオプションを増加するよう選択する傾向がある。一部のページについては、ユーザは、テキストサイズを１２５％増加する必要があるであろうし、また、他のウェブページについては、異なる拡大縮小比がより良い場合もあるであろう。
【０００７】
ウェブページ設計及びフォーマットには統一性がないので、セットトップボックスのユーザは、テキスト、グラフィック、及び他のオプションを、非常に頻繁に、あるときには見ているページそれぞれについて変更する必要があり得る。テレビジョン画面用のウェブブラウザは、一般的に、このようなオプション変更のためにユーザフレンドリであり、というのは、このオプション変更はよく使われるからである。しかし、そのようなオプションを頻繁に再調整することは、追加の処置と追加の時間を必要とする。
【０００８】
例えば、携帯電話機及び携帯情報端末といったコンピュータモニタより低い解像度を有するディスプレイ画面を有する他の装置にも、よく似た問題が発生する。
【０００９】
コンピュータ画面以外のディスプレイ上のテキストサイズの問題を解決しようと幾つかの試みがある。例えば、現在のウェブサイトＨＴＴＰ：／／ｗｗｗ．ＤｙｎａＬａｂ．ｃｏｍは、コンピュータから携帯電話機まで様々な装置上で用いることのできるウィンドウズ（登録商標）、マッキントッシュ、ユニックス、及びリナックスプラットホームのための中国語、日本語、及び韓国語（ＣＪＫ）ビットマップ、トゥルータイプ（ＴｒｕｅＴｙｐｅ）、ＡＴＭ、及びポストスクリプトフォントを提供する。
【００１０】
しかし、いずれも見ているページ毎にテキスト、グラフィックス、及び他のオプションを頻繁に再調整する必要があるという問題を解決していない。
【００１１】
本発明は、再度訪れたウェブサイトについてビューイングオプションの調節を繰り返す必要を低減することを目的とする。
【００１２】
［発明の開示］
この目的、及び、以下の開示及び図面から明らかとなる他の目的は、本発明によって達成される。本発明は、１つの面において、ウェブページに対する要求を処理するシステムであって、このシステムは、ＵＲＬ要求を受信するとウェブページをフェッチする手段と、フェッチされたウェブページに対するフォーマット嗜好を受信する手段と、受信したフェッチされたウェブページに対するフォーマット嗜好を、対応するＵＲＬに関連付けて格納する手段と、同じＵＲＬへの次のオープン要求を受信すると、フォーマット嗜好を取出しし、フォーマット嗜好と共に対応するウェブページを供給する手段を含む。１つの好適な実施例は、セットトップボックスであり、これは、お気に入り又はブックマークエントリ及び履歴エントリと共に、ビューイングオプションセレクションを格納する。
【００１３】
別の面において、本発明は、ウェブブラウザを用いて電子情報を通信する方法であって、この方法は、ブラウザをディスプレイ装置において起動させる段階と、ウェブページにアクセスする段階と、そのウェブページに対する任意のユーザ嗜好設定を受信する段階と、その嗜好設定をウェブページに適用する段階と、その嗜好設定と共にウェブページを表示する段階と、そのウェブページＵＲＬを嗜好設定と関連付けてメモリレジスタ内に格納する段階と、ウェブページの次のアクセスの際に、関連付けられる嗜好設定を取出しし関連付けられる嗜好設定をウェブページに適用する段階を有する。
【００１４】
本発明の別の面は、ウェブページに対しユーザが好むフォーマットを用いてウェブページを表示する方法であって、この方法は、表示されるウェブページに対するフォーマットセレクションを受信すると、フォーマットセレクションを表示されるウェブページに対するＵＲＬに関連付けて格納する段階と、同じＵＲＬへの次の要求を受信すると、そのＵＲＬに対する前に選択されたフォーマットを取出しする段階と、前に選択されたフォーマットを用いてウェブページを表示する段階を含む。
【００１５】
ウェブページアドレスは、お気に入りレジスタ内にお気に入りとして格納されるか、又は、履歴レジスタ内に前に見られたページとして格納される。いずれの場合においてもユーザによって選択された最後の設定を相互参照する。
【００１６】
設定の好適なタイプは、グラフィックス及びテキストである。しかし、カラーや他の設定も使用し得る。全てのユーザによって選択された視聴設定は、前に視聴されたウェブページに対して、お気に入り、ブックマーク、履歴、又は任意の他のメモリレジスタ内に、ＵＲＬと関連付けられて格納され、このことは、当該のウェブページへのアクセスを速くする。
【００１７】
本発明の別の面は、ウェブページ生成機能と、ユーザが選択したお気に入り及び／又は前に視聴したウェブページのログをメモリ内に格納し、お気に入り及び前に視聴したページに対する任意のユーザ選択フォーマット嗜好を格納し、お気に入り及び前に視聴したページのそれぞれに対する任意のフォーマット嗜好選択を格納する容量を有するフォーマット嗜好選択機能を有する任意の装置である。ユーザが、あるウェブページを前に視聴していなければ、そのウェブページは、デフォルトのフォーマットで表示される。ユーザが、ブラウザによって生成されたお気に入り又はブックマークリストから、また、ユーザがフォーマット嗜好を選択していない又は前に選択された嗜好を変更していないお気に入りのログからお気に入りを選択すると、ウェブページは、デフォルトのフォーマットで表示される。ユーザがあるページを、そのＵＲＬが履歴ログに格納されるのに十分なほど最近に視聴した場合、最近に選択された嗜好のセットが格納され、そのウェブページが視聴されるときには取出しされる。
【００１８】
一部の場合において、デフォルトの嗜好のセットは、ウェブページのハイパーテキスト転送プロトコル又他のプロトコルにおける最初の情報とは異なる場合がある。例えば、ウェブページは、一部のテキストについては８ポイントのフォントで設計され、別のテキストについては１６ポイントのフォントで設計されている場合がある。ウェブブラウザが、拡大又は縮小機能を作動させない場合、ウェブページは、これらのフォントサイズで表示される。しかし、一部のウェブブラウザは、ユーザ大域的変更オプションを有する。ユーザが、テキストサイズを２倍にするよう大域的変更選択を行っている場合、新しいデフォルトは、２００％テキスト拡大機能を含み得、従って、８ポイントフォントは、今度は、１６ポイントで表示され、１６ポイントは３２ポイントで表示される。そのような場合、これらの１６及び３２ポイントフォントは、ユーザが、特定のページに対しテキスト縮小又はテキスト拡大を選択しない限り表示される。この場合、本発明では、その特定のＵＲＬに対し選択されたサイズ調整は、そのウェブページがそのウェブブラウザ上で再度アクセスされた場合に使用するためにレジスタ内に格納される。
【００１９】
装置は、テレビ受像機の外部にあるセットトップボックス又はテレビ受像機内に内蔵される機能、又は、ウェブブラウザを有するハンドヘルド式装置、又は、携帯電話機、又は、ウェブブラウザを表示可能な任意の他の装置であることが可能である。本発明は、ウェブページ設計者がそのウェブページを最適化させるコンピュータモニタより低い解像度を有するディスプレイ画面を有する装置に特に有用である。当然ながら、本発明は、ウェブブラウザが、お気に入りのウェブページのログ又はレジスタ又は他のタイプのメモリ、及び／又は、前に訪れたページの履歴を格納する容量を有するときに、最も有用である。
【発明を実施するための最良の形態】
【００２０】
理解を容易にするために、図面に共通する同じ構成要素を示すために、可能な場所には、同じ参照番号を用いている。
【００２１】
最初に図１を参照するに、ディスプレイ画面１２を有するテレビジョン１１と、セットトップボックス１３と、遠隔コントローラ１４を含むシステム１０を示す。テレビジョン信号１５とインターネット接続１６は、ブロードバンドソースに接続される単ケーブルＴＶ接続であることが可能である。
【００２２】
図２は、システムの一部の構成要素を示し、ＴＶチューナ１７、オペレーティングシステム１８、ウェブブラウザプログラムといった１つ以上のアプリケーションプログラム１９、及びプログラムデータ２０を含む。このシステムは、マイクロプロセッサ２１、一次メモリ２２、二次メモリ２３、及び様々なＩ／Ｏ部品２４を含む。２次メモリ２３は、ハードディスク、フロッピー（登録商標）ディスク、書込み可能なコンパクトディスク或いはＤＶＤ、ＥＥＰＲＯＭ（電気的消去可能プログラム可能読出し専用メモリ）といったプログラム可能メモリを含み得る。Ｉ／Ｏ部品は、遠隔コントローラ１４、ビデオ／オーディオ出力、ネットワークインタフェース、テレビジョン信号入力ポート、衛星放送受信機、及び、携帯電話アンテナ等を含み得る。このシステムは、ディスプレイ用のウェブページを生成するよう使用される任意のシステムであることが可能であるが、特に、コンピュータ画面が一般的に有するよりも低い解像度を有するディスプレイと共に使用することが有用である。
【００２３】
図３は、テレビジョン画面１２（図１）上に表示されるウェブブラウザであり、ここでは、ウェブページ２７のＵＲＬアドレス２６は、ｈｔｔｐ：／／ｗｗｗ．ｃｎｎ．ｃｏｍである。ウェブブラウザは、デフォルトのテキスト２８とデフォルトのグラフィック２９のサイジングでウェブページを表示する。テキストサイジングアイコン３０が、標準サイズアイコン３１をその中に有して表示される。グラフィックスサイジングアイコン３２は、拡大鏡のアイコンであり、標準グラフィックサイズアイコン３３がその中に表示される。アイコン３１及び３３は、それぞれ、アイコン３０及び３２のぞれぞれの上部の３つの円によって表される３つのライトを有する。以下に説明するように、これら３つのライトの状態は、現在のサイズの設定を示す。例示的に、１つ又は２つのライトが点灯していて、例えば、アイコン３０である対応するボタンが押されると、もう１つライトが点灯する。３つ全てのライトが点灯していて、対応するボタンが押されると、１つのライトのみが点灯し続ける。或いは、３つのライトは、３つ以上の状態を示し得る。即ち、全て消灯される、１つが点灯して他の２つは消灯される（どのライトが点灯するかに依存して全体で３つの状態）、２つが点灯して残りの１つは消灯される（３つの状態）、及び全て消灯される、を示し得る。各状態が異なるサイズに割当てられることが可能である。他のボタンは、戻る３４、リフレッシュ３５、ホーム３６、閉じる３７、シャッフルウィンドウ３８、続き３９、及びＴＶへ４０を含む。ツールと称するボタン４１は、ブラウザコントールを隠す又は表示するよう用いられる。
【００２４】
図４は、図３と同じ図であるが、テキストアイコン３０がユーザによってトグルされ、それによりテキストサイズアイコン３１は、テキストサイズが再度拡大縮小され、ブラウザ内に表示されるテキスト４２は、図３に表示したテキストサイズ２８の１５０％であることを示す。テキストが標準サイズのとき、１つのライトが点灯し、テキスト倍率が１２５％のとき、２つのライトが点灯し、テキスト倍率が１５０％のとき、アイコン３１における３つのライトは全てボタン３０上で点灯される。図４では、テキストは、図３によけるよりも読み易いが、ユーザは、ページのリフォーマッティングは、小さいテキストよりも悪いことを発見し得る。「ＯＮ  ＣＮＮ  ＴＶ」という表題は、テキストが拡大されたバージョンでは、改行されるが、標準バージョンでは改行されない。様々な拡大レベルは、ユーザに柔軟性を与える。
【００２５】
図５は、テレビジョン画面上に表示されるウェブブラウザを示すが、このウェブページのＵＲＬアドレス２６は、ｈｔｔｐ：／／ｗｗｗ．ａｕｄｉｕｓａ．ｃｏｍであり、また、このウェブブラウザは、デフォルトテキストサイズ２８とグラフィック４１のサイジングでこのウェブページを表示する。テキストアイコン３０は、増加又は減少のないことを示すアイコン３１を有し、グラフィックスアイコン３２は、増加又は減少のないことを示すアイコン３３を有する。即ち、１つのライトのみが点灯される。図５では、特定のテキスト２８は、グラフィックスを用いて作成され、読み取ることができない。ボタン３０を使ってテキストサイズを増加しても、このようなテキスト２８に対しては、テキストサイズは増加されない。しかし、図６では、グラフィックスが、ボタン３２を用いてトグルされ、それにより、図６において２８として示す領域を含むグラフィックス領域が増加され、従って、グラフィカルテキスト２８は読むことができるようになる。
【００２６】
図４と比較した図３、図６と比較した図５は、２つのウェブページの例と、ウェブブラウザツール及びアイコン、又は、ウェブブラウザの他のタイプ及びスタイルのプルダウンメニュを用いたテキスト及びグラフィックスのサイズ調整の方法を示すが、これらの図面は、特定のページについてのテキスト及び／又はグラフィックス設定が格納されて、最後に見たときにユーザによってテキスト及び／又はグラフィックス設定が調整されなければならなかったウェブサイトを再度訪れるときに、その設定が自動的に取出しされ、そのページに適用されるという本発明の特徴は説明しない。１ＵＲＬあたりのこのような設定を、ＲＡＭといった一次メモリに格納し得るが、これらの設定を、ＥＥＰＲＯＭといった２次メモリに格納し、それにより、設定が、セットトップボックスをオフにしてからオンにした後でも取出しすることができるようにすることが好適である。
【００２７】
実際には、ユーザは、特定のウェブページを再度訪れるのではなく、ＵＲＬによって識別されるウェブサイトを再度訪れる。例えば、ＵＲＬは、ｈｔｔｐ：／／ｗｗｗ．ｃｎｎ．ｃｏｍ、ｈｔｔｐ：／／ｗｗｗ．ａｕｄｉｕｓａ．ｃｏｍ、又は登録サービスによって登録される何百万ものＵＲＬのうちの任意のものであり得る。例えば、お気に入り又はブックマークメニュから格納されたお気に入りを選択することによって、ＵＲＬをタイプして入力することによって、又は、ＵＲＬへのリンク上をクリックすることによって、任意の方法によってユーザによってウェブサイトが選択されると、実際のウェブページは、前回のそのウェブサイトへの訪問とは異なる場合があり得る。ｗｗｗ．ＣＮＮ．ｃｏｍといったニュースサイトでは、ウェブページは、一日のうちにたくさんの回数変更され得る。しかし、特定のＵＲＬ、即ち、ウェブサイトに対するテキストサイズ及びグラフィックスサイジング及び他のフォーマッティング特徴は、一般的に、長期間同じであり得る。この現象によって、まさに本発明は有用となり、というのは、保存されるフォーマット嗜好は、一般的に、特定のウェブページにおけるウェブページコンテンツの変更に関係なく、再度訪れたＵＲＬに対してフォーマットを好適なレベルに調整するからである。言い換えると、特定のウェブサイトにおけるウェブページにおけるテキストサイズとグラフィックスサイズが、最初にユーザがそのページをアクセスしたときに、小さすぎる場合、テキストサイズ及びグラフィックスサイズは、次にユーザによってそのウェブサイトがアクセスされるときも小さすぎる可能性が高い。
【００２８】
図７は、処理のフローチャートであり、セットトップボックス又はウェブブラウザソフトウェアを実行する他の装置による判断段階５６において決定されるようにＵＲＬ要求が受信される段階５５にて開始する。ＵＲＬ要求を受信すると、対応するウェブページのフェッチ４７が行われる。ＵＲＬは、お気に入り又はブックマーク上をクリックすること、別のウェブページ内のＵＲＬ上をクリックすること、ＵＲＬアドレスをタイプして入力すること、電子メール内のハイパーリンク上をクリックすること、又は、任意の他の知られている或いは知られるようになる方法によって要求され得る。
【００２９】
段階４８で、そのＵＲＬについてのフォーマット嗜好が格納されていることが判断されると、そのＵＲＬに関連付けられる格納された嗜好が、段階４９において取出しされ、段階５０において、フェッチされたページは、この格納された嗜好に応じて表現される。格納された嗜好は、上述したように、ウェブブラウザの設計に依存して、テキストサイジング、グラフィックサイジング、又は、任意の多数の他のタイプの嗜好であり得る。要求されたＵＲＬに対して格納された嗜好がない場合、対応するウェブページがフェッチされ、サイズ調整なし又はユーザが全てのページについて選択した大域的なサイズ調整オプションであり得るデフォルトで表現される。表現されるページは、段階５２において表示される。テキスト又はグラフィックに関する新しい嗜好が、段階５３において受信されると、その特定のＵＲＬに対する嗜好は、段階５４において、更新され、メモリ内に格納される。追加の嗜好がこの時点で受信されなければ、処理は、段階５４において終了し、処理は、新しいＵＲＬ又は同じＵＲＬが要求されたときに、段階５５から開始する。或いは、ブラウザは、ユーザが、例えば、アドレスボックスに新しいＵＲＬを入力することによって、あるＵＬＲによってアドレス指定されるウェブサイトを離れることを決定したときに、そのＵＲＬについての嗜好を更新してもよい。
【００３０】
本発明は、ウェブブラウザの特定のモードについて、２つのＵＲＬに関して、また、テキスト及びグラフィックスフォーマット特徴だけに関して、また、ウェブブラウザを有するテレビジョンだけに関して詳細に説明したが、本発明は、携帯電話機、携帯情報端末といった多くの他のタイプの装置及びビューイング画面上の表示のためにウェブサイトをアクセスする多くの他のタイプのシステムにも適用可能である。本発明は更に、多くの他のＵＲＬ、他のフォーマットオプションや、例えば、サウンドレベル又はビデオ品質がユーザによって調整され得るオーディオ、ビデオ、写真、電子メール、及び他のオブジェクトを提供するウェブサイトといった他の装置にも適用可能である。更に、ウェブページは、インターネットに接続されるのではなくプライベートのｈｔｔｐに基づくシステム内のイントラネットから取出しされることも可能である。多くの他の代替例、変更例、及び改良点は、本発明の精神及び範囲から逸脱することなく当業者には容易に明らかとなろう。
【００３１】
［関連出願への相互参照］
２００２年４月５日に出願した仮特許出願番号６０／３７０，５２２の優先権を主張する。
【図面の簡単な説明】
【００３２】
【図１】ウェブブラウザを有するセットトップボックスを有する例示的なテレビジョンに基づくシステムを示す図である。
【図２】テレビジョンチューナ、及びセットトップボックスの幾つかの機能を含み、本発明に応じて機能するようプログラム可能な一般的なシステムを示すブロック図である。
【図３】デフォルトテキスト及びグラフィックのサイジングで特定の瞬間においてＵＲＬ  ｈｔｔｐ：／／ｗｗｗ．ｃｎｎ．ｃｏｍにて生成されるウェブページを示す例示的な画面表示を示す図である。
【図４】１５０％テキスト拡大した図１のウェブページの例示的な画面表示である。
【図５】デフォルトグラフィック倍率で特定の瞬間においてＵＲＬ  ｈｔｔｐ：／／ｗｗｗ．ａｕｄｉｕｓａ．ｃｏｍにて生成されるウェブページを示す例示的な画面表示を示す図である。
【図６】テキスト及びグラフィックスを含む１５０％全体拡大した図３のウェブページを示す図である。
【図７】本発明による好適な段階を説明するフローチャートである。
【図１】
2005522783.tif 000003
【図２】
2005522783.tif 000004
【図３】
2005522783.tif 000005
【図４】
2005522783.tif 000006
【図５】
2005522783.tif 000007
【図６】
2005522783.tif 000008
【図７】
2005522783.tif 000009
【国際調査報告】
2005522783.tif 000010
2005522783.tif 000011
2005522783.tif 000012